(57)【要約】【課題】紐状体と環状体とを煩雑な作業を要することなく確実に連結できる連結具を提供すること。【解決手段】紐状体と環状体とを連結する連結具であって、紐状体の一部を把持する把持部８と環状体の一部を収容する収容凹部９とを有する雄具６と、紐状体を挿通可能な略筒状に形成され雄具６を嵌挿して係止する雌具７と、から成り、収容凹部９に、収容凹部９の内部に連通する開口９ａが形成されており、雄具６を雌具７に嵌挿することで、雌具７により、開口９ａの一部が閉塞されるとともに、把持部８が紐状体の把持状態で固定されるように成っている。【選択図】図４
2009000284.tif 000002
【特許請求の範囲】
【請求項１】
紐状体と環状体とを連結する連結具であって、
紐状体の一部を把持する把持部と環状体の一部を収容する収容凹部とを有する雄具と、
紐状体を挿通可能な略筒状に形成され該雄具を嵌挿して係止する雌具と、から成り、
前記収容凹部に、該収容凹部の内部に連通する開口が形成されており、前記雄具を前記雌具に嵌挿することで、該雌具により、前記開口の一部が閉塞されるとともに、前記把持部が紐状体の把持状態で固定されるように成っていることを特徴とする連結具。
【請求項２】
前記雄具の外面に、該雄具の嵌挿方向の後端側から先端側に向かって先細り状のテーパ面が形成されるとともに、前記雌具の内面に、前記雄具を摺接案内可能に後端側から先端側に向かって先細り状のテーパ面が形成されており、前記雄具の先端に、前記両具の連結状態において前記雌具の先端縁に係止する係止部が突設されていることを特徴とする請求項１に記載の連結具。
【請求項３】
前記把持部は、互いの対向面間で紐状体を挟持する一対の板状体であって、該一対の板状体は、前記雌具のテーパ面に摺接可能に配置されていることを特徴とする請求項２に記載の連結具。
【請求項４】
前記係止部は、前記板状体の外面に突設されていることを特徴とする請求項３に記載の連結具。
【請求項５】
前記収容凹部は、前記雄具の嵌挿方向の後端側に設けられているとともに、前記雌具の後端側の両側部に、両具の連結状態において前記収容凹部の側部開口を開放する切欠き部が形成されていることを特徴とする請求項１ないし４のいずれかに記載の連結具。
【請求項６】
前記収容凹部は、該収容凹部に収容する環状体の周方向に沿って延設されていることを特徴とする請求項１ないし５のいずれかに記載の連結具。
【発明の詳細な説明】
【技術分野】
【０００１】
本発明は、紐状体と環状体とを連結する連結具であって、紐状体の一部を把持する把持部と環状体の一部を収容する収容凹部とを有する雄具と、紐状体を挿通可能な略筒状に形成されこの雄具を嵌挿して係止する雌具と、から成る連結具に関する。
【背景技術】
【０００２】
従来の連結具は、例えば携帯電話機などの携帯用通信機器に接続されたリング環などの環状体に、ストラップ等の紐状体を取付けるために用いられる連結具であって、上端部及び両側部に開口が形成された筒状体からなり、これら開口に紐状体及び環状体を挿通し連結している（例えば、特許文献１参照）。
【０００３】
【特許文献１】特開２００１−３０９８１３号公報（第２頁、第３図）
【発明の開示】
【発明が解決しようとする課題】
【０００４】
しかしながら、特許文献１にあっては、携帯電話機などに用いられる連結具は一般に小型であり、このような連結具に形成された小径の開口に、紐状体及び環状体を挿通する作業は手間であった。特に、有端の線状部材を用いて環状に形成されたリング環の端部を、筒状体の両側部に対向して形成された開口に挿通する作業は煩雑であり、作業手間・作業時間を要し、両体を確実に連結出来ない虞が生じていた。
【０００５】
本発明は、このような問題点に着目してなされたもので、紐状体と環状体とを煩雑な作業を要することなく確実に連結できる連結具を提供することを目的とする。
【課題を解決するための手段】
【０００６】
上記課題を解決するために、本発明の請求項１に記載の連結具は、
紐状体と環状体とを連結する連結具であって、
紐状体の一部を把持する把持部と環状体の一部を収容する収容凹部とを有する雄具と、
紐状体を挿通可能な略筒状に形成され該雄具を嵌挿して係止する雌具と、から成り、
前記収容凹部に、該収容凹部の内部に連通する開口が形成されており、前記雄具を前記雌具に嵌挿することで、該雌具により、前記開口の一部が閉塞されるとともに、前記把持部が紐状体の把持状態で固定されるように成っていることを特徴としている。
この特徴によれば、環状体を、収容凹部に形成された開口を通じて収容凹部の内部に容易に収容出来るばかりか、環状体を収容凹部に収容するとともに、略筒状の雌具に紐状体を挿通し紐状体の一部を把持部で把持した状態で、雄具を雌具に嵌挿するだけで、雌具により収容凹部の開口を閉塞でき、且つ把持状態を固定出来るため、両体を容易に且つしっかりと連結できる。
【０００７】
本発明の請求項２に記載の連結具は、請求項１に記載の連結具であって、
前記雄具の外面に、該雄具の嵌挿方向の後端側から先端側に向かって先細り状のテーパ面が形成されるとともに、前記雌具の内面に、前記雄具を摺接案内可能に後端側から先端側に向かって先細り状のテーパ面が形成されており、前記雄具の先端に、前記両具の連結状態において前記雌具の先端縁に係止する係止部が突設されていることを特徴としている。
この特徴によれば、雄具の先細り状のテーパ面に形成される外面を、雌具の同様に先細り状のテーパ面に形成される内面に摺接させることで、両具の連結状態における雄具の嵌挿方向の動きを規制出来るばかりか、雄具の先端に設けられた係止部が雌具の先端縁に係止されることで、両具の連結状態における雄具の嵌挿方向と逆方向の動きも規制出来る。
【０００８】
本発明の請求項３に記載の連結具は、請求項２に記載の連結具であって、
前記把持部は、互いの対向面間で紐状体を挟持する一対の板状体であって、該一対の板状体は、前記雌具のテーパ面に摺接可能に配置されていることを特徴としている。
この特徴によれば、把持部である一対の板状体が雌具のテーパ面に摺接可能に配置されている雄具が、雌具内に嵌挿されることで、雌具内のテーパ面により、互いの対向面間が近接する方向に、一対の板状体が押圧されるため、雄具を雌具内に嵌挿するだけで、紐状体をしっかり挟持し固定出来る。
【０００９】
本発明の請求項４に記載の連結具は、請求項３に記載の連結具であって、
前記係止部は、前記板状体の外面に突設されていることを特徴としている。
この特徴によれば、雄具が雌具内に嵌挿される際に、一対の板状体の対向面間に挟まれる紐状体が、雌具内のテーパ面により板状体を介して押圧される力に対抗し、板状体を雌具に向かって押圧する力を利用して、板状体の外面に設けられている係止部が、雌具の先端縁にしっかりと係止される。
【００１０】
本発明の請求項５に記載の連結具は、請求項１ないし４のいずれかに記載の連結具であって、
前記収容凹部は、前記雄具の嵌挿方向の後端側に設けられているとともに、前記雌具の後端側の両側部に、両具の連結状態において前記収容凹部の側部開口を開放する切欠き部が形成されていることを特徴としている。
この特徴によれば、雄具の後端側の収容凹部内に環状体の一部を収容し、収容凹部の両側部開口から外方に環状体の円周部が延びていても、この円周部を雌具に形成され側部開口を開放している切欠き部内に収容できるため、収容凹部に収容した環状体が邪魔になることなく、両具を連結できる。
【００１１】
本発明の請求項６に記載の連結具は、請求項１ないし５のいずれかに記載の連結具であって、
前記収容凹部は、該収容凹部に収容する環状体の周方向に沿って延設されていることを特徴としている。
この特徴によれば、連結具を介して紐状体と連結される環状体が、環状体の周方向に沿って延設されている収容凹部に収容されることで、径方向の軸周りの回動を規制出来るため、環状体が連結具に対して捻れることなく、連結具を介した紐状体と環状体とを所定の向きに維持出来る。
【発明を実施するための最良の形態】
【００１２】
本発明の実施例を以下に説明する。
【実施例】
【００１３】
本発明の実施例を図面に基づいて説明すると、先ず図１は、本発明の実施例におけるバックルの使用状況を示す斜視図である。図２は、バックルの連結状態を示す正面図である。図３（ａ）は、バックルの連結状態を示す右側面図であり、（ｂ）は、同じく左側面図である。図４（ａ）は、雌バックル体を示す斜視図であり、（ｂ）は、雄バックル体を示す斜視図である。図５（ａ）は、雄バックル体にネックストラップ及びリング環を装着除する状況を示す一部断面図であり、（ｂ）は、雄バックル体を雌バックル体に嵌挿する状況を示す一部断面図であり、（ｃ）は、両バックル体の連結状態を示す一部断面図である。
【００１４】
図１に示される連結具１は、薄板状であって端部を有する紐状体としてのネックストラップ２と、前面に識別情報等が印字されたＩＤカード５を収容したカードケース３と、を連結するのに用いられる。具体的には、連結具１は、着脱可能に設けられた雄具６と雌具７とから主として構成されており、ネックストラップ２の両端部が、雄具６の後述する把持部に接続され無端状に形成されるとともに、カードケース３の孔部３ａに挿通された環状体としてのリング環４が雄具６の収容凹部に収容された状態で、雄具６が雌具７に嵌挿されて接続されており、すなわちネックストラップ２とカードケース３とが、連結具１を介して着脱可能に連結されている。尚、ネックストラップ２は布製若しくは革製等で構成され、またリング環４は金属製若しくは比較的硬質の樹脂材で構成されている。
【００１５】
図２に示されるように、この連結具１はプラスチック製の樹脂材で構成され、扁平筒形状の雌具７の内部に、扁平形状の雄具６が収納されている。雄具６の図示右側には後述する把持部８が形成されるとともに、図示左側には収容凹部９が形成されており、図１ないし図３及び図５（ｃ）に示される連結具１の連結状態において、雄具６に形成された係止部１０が雌具７の先端縁に形成された係止凹部７ｂ係止されることで、雄具６が、雌具７から分離する方向に移動不能に保持されている。
【００１６】
以下、扁平形状の雌具７、雄具６の幅広方向を左右方向、幅狭方向を上下方向として、雄具６が雌具７に対し嵌挿する嵌挿方向の先方を先端側、後方を後端側として説明する。
【００１７】
連結具１について具体的に説明すると、先ず雄具６の先端側には、ネックストラップ２の両端を把持する把持部８が形成されている。把持部８は、雄具６本体に形成された板状体としての基板８ａと、この基板８ａに対し左右方向に延びる回動軸８ｃ周りに回動可能な板状体としての回動板８ｂとから成る一対の板状体であって、これら一対の両板８ａ，８ｂは、後述する雌具７内面に形成されたテーパ面７ａに摺接可能に配置されている。両板８ａ，８ｂにより形成される開口部は、雄具６の先端を向いて配置される。この一対の基板８ａ及び回動板８ｂの対向面の適所には、互いに向けて針状に突起する複数の突起部８ｄが設けられ、これら突起部８ｄが設けられた一対の両板８ａ，８ｂの対向面間にネックストラップ２を挟持できるように成っている。また、針状の突起部８ｄが、布製のネックストラップ２を押圧して噛み込むことで、ネックストラップ２が両板８ａ，８ｂの対向面間でしっかりと挟持される。更に、回動板８ｂの左右両側部には、嵌合凸部８ｅ，８ｅが設けられており、回動板８ｂが基板８ａに対し閉塞した状態で、嵌合凸部８ｅが、雄具６本体側部に形成された嵌合凹部６ｂに嵌合されるため、両板８ａ，８ｂがネックストラップ２を挟持した状態を保持できる。
【００１８】
次に、雄具６の後端側には、リング環４を収容する収容凹部９が形成されている。収容凹部９は、左右両側部が連通開口し断面が略コ字状に形成された内壁からなり、収容凹部９の上端部には、収容凹部９の内部に連通する開口９ａが周方向に沿って形成され、リング環４の周方向の一部を収容可能に周方向に延設されている。また、収容凹部９の内壁は、収容されるリング環４の外周側に面する壁９ｂよりも、内周側に面する壁９ｃの方が周方向に短く設けられ、更に壁９ｃは、円弧状に曲面に形成されている。このようにすることで、比較的小径で曲率半径の小さい環状体も収容することが出来、収容凹部内に収容可能な環状体の形状寸法の自由度が増す。
【００１９】
上記した収容凹部９に形成された開口９ａが形成される向きは、把持部８の回動板８ｂが開放側に回動する向きと同じ上方である。
【００２０】
また、雄具６は、幅広側の上下外面に、後端側から先端側に向かって先細り状のテーパ面６ａ，６ａが形成されており、雄具６の先端、すなわち回動板８ｂ、基板８ａ外面の先端には、後述のように両具６，７の連結状態において、雌具７の先端縁に係止する係止部１０，１０が上下方を向いて突設されている。
【００２１】
次に、雌具７は、先後端がそれぞれ開口した内空構造に形成されるとともに、後端側左右両側部には、後方に向けて開口する一対の切欠き部７ｃ，７ｃが形成されている。また、雌具７は、幅広側の上下内面に、後端側から先端側に向かって先細り状のテーパ面７ａ，７ａが形成されており、すなわち雌具７の先端の開口は、後端の開口よりも小口に成っている。更に、雌具７の先端縁の略中央には、雄具６の係止部１０を係止可能な係止凹部７ｂが形成されている。
【００２２】
また、雌具７の内面は、上下対称且つ左右対称に形成されており、雄具６を上下反転したいずれの向きでも嵌挿できるように成っている。
【００２３】
次に、図５（ａ）〜（ｃ）に基づいて、ネックストラップ２とリング環４との連結について説明する。
【００２４】
先ず図５（ａ）に示されるように、ネックストラップ２の両端部を重ねて、雌具７の内部を先端から後端に向けて挿通するとともに、この両端部を雄具６先端側の基板８ａ上に載置し、回動板８ｂを閉塞方向に回動することで、把持部８によりネックストラップ２の両端部を挟持する。また、リング環４の周方向の一部を、収容凹部９の開口９ａを通じて収容凹部９内部に収容する。このように、回動板８ｂが上方に向けて開放するとともに、収容凹部９の開口９ａが上方に向けて開放しているため、ネックストラップ２及びリング環４の両方とも、同じ上方側から設置出来る。
【００２５】
次に、図５（ｂ）に示されるように、雄具６を、その先端側から雌具７の内部に嵌挿する。先細り状のテーパ面７ａ，７ａに形成される雄具６の外面が、同様に先細り状のテーパ面７ａ，７ａに形成される雌具７の内面に摺接しながら内方に向けて案内される。
【００２６】
そして、図５（ｃ）に示されるように、雄具６が所定の嵌挿位置に嵌挿された連結状態に成るとともに、雄具６の先端において突設された係止部１０，１０が、雌具７を貫通して先端縁の係止凹部７ｂに係止される。この状態において、収容凹部９の開口９ａは雌具７の後端側内面により被覆され閉塞されるため、リング環４は、収容凹部９内から取外し不能となる。また、把持部８の回動板８ｂ、基板８ａの外面は、雌具７の内面と略当接しているため、両板８ａ，８ｂが開放不能となり、把持部８がネックストラップ２の両端部を挟持した状態で固定される。
【００２７】
このように、リング環４を、収容凹部９に形成された開口９ａを通じて収容凹部９の内部に容易に収容出来るばかりか、リング環４を収容凹部９に収容するとともに、略筒状の雌具７にネックストラップ２を挿通しネックストラップ２の端部を把持部８で挟持した状態で、雄具６を雌具７に嵌挿するだけで、雌具７により収容凹部９の開口９ａを閉塞でき、且つ把持状態を固定出来るため、リング環４とネックストラップ２とを容易に且つしっかりと連結できる。
【００２８】
また、上記したように、雄具６の先細り状のテーパ面６ａに形成される外面を、雌具７の同様に先細り状のテーパ面７ａに形成される内面に摺接させることで、両具６，７の連結状態における雄具６の嵌挿方向の動きを規制出来るばかりか、雄具６の先端に設けられた係止部１０が雌具７の先端縁に形成された係止凹部７ｂに係止されることで、両具６，７の連結状態における雄具６の嵌挿方向と逆方向の動きも規制出来る。
【００２９】
また、把持部である一対の両板８ａ，８ｂが雌具７のテーパ面７ａに摺接可能に配置されている雄具６が、雌具７内に嵌挿されることで、雌具７内のテーパ面７ａにより、互いの対向面間が近接する方向に、一対の両板８ａ，８ｂが押圧されるため、雄具６を雌具７内に嵌挿するだけで、ネックストラップ２をしっかり挟持し固定出来る。
【００３０】
更に、雄具６が雌具７内に嵌挿される際に、一対の両板８ａ，８ｂの対向面間に挟まれるネックストラップ２が、雌具７内のテーパ面７ａにより両板８ａ，８ｂを介して押圧される力に対抗し、両板８ａ，８ｂを雌具７に向かって押圧する力を利用して、両板８ａ，８ｂの外面に設けられている係止部１０が、雌具の先端縁に形成された係止凹部７ｂにしっかりと係止される。
【００３１】
また、雌具７の後端側の左右両側部に、両具６，７の連結状態において収容凹部９の左右両側部開口を開放する切欠き部７ｃが形成されていることで、雌具７の後端側の収容凹部９内にリング環４の一部を収容し、収容凹部９の両側部開口から外方にリング環の円周部が延びていても、この円周部を雌具７に形成され収容凹部９の両側部開口を開放している切欠き部７ｃ内に収容できるため、収容凹部９に収容したリング環４が邪魔になることなく、両具６，７を連結できる。
【００３２】
更に、連結具１を介してネックストラップ２と連結されるリング環４が、リング環４の周方向に沿って延設されている収容凹部９に収容されることで、径方向の軸周りの回動を規制出来るため、リング環４が連結具１に対して捻れることなく、連結具１を介したネックストラップ２とリング環４とを所定の向きに維持出来る。特に、本実施例のように、前面を前方に向けることを要するＩＤカード５等を、カードケース３を介してリング環４に接続するとともに、このリング環４と前後面を有する薄板状のネックストラップ２とを連結具１により連結した場合、識別番号等が印字されたＩＤカード５前面を常に前方に向けることが出来、便利である。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、上記実施例では、連結具１が、ネックストラップ２とＩＤカード５を収容したカードケース３とを連結するために適用されているが、紐状体と環状体とを直接に連結する連結具であれば、例えば、環状体に、携帯電話機、電子マネー若しくは定期券を接続してもよい。また、一体の紐状体の両端にそれぞれ環状体を連結し、これら環状体を例えばカメラ等の両側部に接続してもよい。
【００３５】
また例えば、上記実施例では、紐状体としてのネックストラップ２は薄板状の布製で構成され、また、環状体としてのリング環４は金属製で構成されているが、例えば紐状体は革製で構成されていてもよいし、また環状体は樹脂材で構成されていてもよい。
【図面の簡単な説明】
【００３６】
【図１】本発明の実施例におけるバックルの使用状況を示す斜視図である。
【図２】バックルの連結状態を示す正面図である。
【図３】（ａ）は、バックルの連結状態を示す右側面図であり、（ｂ）は、同じく左側面図である。
【図４】（ａ）は、雌バックル体を示す斜視図であり、（ｂ）は、雄バックル体を示す斜視図である。
【図５】（ａ）は、雄バックル体にネックストラップ及びリング環を装着除する状況を示す一部断面図であり、（ｂ）は、雄バックル体を雌バックル体に嵌挿する状況を示す一部断面図であり、（ｃ）は、両バックル体の連結状態を示す一部断面図である。
【符号の説明】
【００３７】
１                連結具
２                ネックストラップ（紐状体）
３                カードケース
４                リング環（環状体）
５                カード
６                雄具
６ａ              テーパ面
７                雌具
７ａ              テーパ面
７ｃ              切り欠き部
８                把持部
８ａ              基板（板状体）
８ｂ              回動板（板状体）
８ｄ              突起部
９                収容凹部
９ａ              開口
１０              係止部
【図１】
2009000284.tif 000003
【図２】
2009000284.tif 000004
【図３】
2009000284.tif 000005
【図４】
2009000284.tif 000006
【図５】
2009000284.tif 000007